(57)【要約】【課題】必要な情報を蓄積し、携帯端末のバッテリーが切れても情報を印刷可能な画像形成システムを提供する。【解決手段】  情報選択手段２００は、ユーザーが閲覧している情報から、携帯端末が使用不可能な場合に閲覧するために、画像形成装置で紙出力可能な閲覧情報４００を、特定条件に対応して選択する。情報送信手段２２０は、情報選択手段２００により選択された閲覧情報４００を、画像形成装置へ送信する。情報蓄積手段１００は、携帯端末から受信した閲覧情報４００を蓄積する。画像形成部は、情報蓄積手段１００により蓄積された閲覧情報４００を印刷する。【選択図】図２
2020182213.tif 000002
【特許請求の範囲】
【請求項１】
携帯端末と画像形成装置とを含む画像形成システムであって、
前記携帯端末は、
ユーザーが閲覧している情報から、前記携帯端末が使用不可能な場合に閲覧するために、前記画像形成装置で紙出力可能な閲覧情報を、特定条件に対応して選択する情報選択手段と、
前記情報選択手段により選択された前記閲覧情報を、前記画像形成装置へ送信する情報送信手段とを備え、
前記画像形成装置は、
前記携帯端末から受信した前記閲覧情報を蓄積する情報蓄積手段と、
前記情報蓄積手段により蓄積された前記閲覧情報を印刷する画像形成手段とを備える
ことを特徴とする画像形成システム。
【請求項２】
前記ユーザー単位及び／又は前記携帯端末単位で鍵情報を作成する鍵作成手段を更に備え、
前記鍵情報が取得された場合、前記画像形成手段により前記閲覧情報が印刷される
ことを特徴とする請求項１に記載の画像形成システム。
【請求項３】
前記閲覧情報は、スクリーンショットの画像データ又は電子文書データであり、
前記情報選択手段は、特定のアプリケーションで前記ユーザーが検索を行った場合に、前記スクリーンショットの画像データ又は電子文書データを前記閲覧情報として選択する
ことを特徴とする請求項１又は２に記載の画像形成システム。
【請求項４】
前記特定条件に対応する前記閲覧情報は、ナビゲーションの情報、電子チケット、クーポン、アカウントコード、確認画面、及び、ユーザーの指示により選択された情報のいずれか又は任意の組み合わせである
ことを特徴とする請求項１乃至３のいずれか１項に記載の画像形成システム。
【請求項５】
前記情報蓄積手段は、
内蔵の記憶部の記憶容量が特定値以上の場合、前記記憶部に前記閲覧情報を格納し、
前記記憶容量が前記特定値よりも少ない場合、外部のサーバーに前記閲覧情報を転送して格納させる
ことを特徴とする請求項１乃至４のいずれか１項に記載の画像形成システム。
【請求項６】
ユーザーが閲覧している情報から、自装置が使用不可能な場合に閲覧するために、画像形成装置で紙出力可能な閲覧情報を、特定条件に対応して選択する情報選択手段と、
前記情報選択手段により選択された前記閲覧情報を、前記画像形成装置へ送信する情報送信手段とを備える
ことを特徴とする携帯端末。
【請求項７】
携帯端末と画像形成装置とを含む画像形成システムにより実行される画像形成方法であって、
前記携帯端末により、ユーザーが閲覧している情報から、前記携帯端末が使用不可能な場合に閲覧するために、前記画像形成装置で紙出力可能な閲覧情報を、特定条件に対応して選択し、
前記携帯端末により、選択された前記閲覧情報を、前記画像形成装置へ送信し、
前記画像形成装置により、前記携帯端末から受信した前記閲覧情報を蓄積し、
前記画像形成装置により、蓄積された前記閲覧情報を印刷する
ことを特徴とする画像形成方法。
【発明の詳細な説明】
【技術分野】
【０００１】
本開示は、画像形成システム、携帯端末、及び画像形成方法に係り、特に携帯端末から情報を蓄積する画像形成システム、携帯端末、及び画像形成方法に関する。
【背景技術】
【０００２】
典型的な技術として、スマートフォン等の携帯端末にてユーザーの指定した文書や画像等の情報を、ネットワーク経由で印刷可能な複合機（Ｍｕｌｔｉｆｕｎｃｔｉｏｎａｌ  Ｐｅｒｉｐｈｅｒａｌ，  ＭＦＰ）等の画像形成装置が存在する。
しかしながら、携帯端末のバッテリーの容量が低下等して使用不可能になると、当然ながら、文書や画像等を携帯端末で選択し、送信することができない。
このため、そのような状態では、画像形成装置で印刷させることもできない。
【０００３】
一方、特許文献１を参照すると、典型的な技術として、ユーザーをわずらわすことなく、記憶されている情報のバックアップを確実に完遂することが可能な携帯電話機が開示されている。
この技術では、情報を記憶した移動通信端末が自装置の電池へ充電が開始されたか否かを判定する。
そして、充電が開始されたと判定された場合にのみ、自装置に記憶された情報を、通信網を介して、自装置と通信可能なバックアップ処理装置に送信する。
これにより、当該情報を記憶することをバックアップ処理装置に要求する。
【先行技術文献】
【特許文献】
【０００４】
【特許文献１】特開２００３−３４７９８８号公報
【発明の概要】
【発明が解決しようとする課題】
【０００５】
しかしながら、特許文献１の技術では、単純に電話帳やコンテンツをバックアップするだけであり、携帯端末が使用不可能の際に閲覧したい情報を保存しておくことはできなかった。
【０００６】
本発明は、このような状況に鑑みてなされたものであって、上述の問題点を解消する画像形成システムを提供することを課題とする。
【課題を解決するための手段】
【０００７】
本開示の画像形成システムは、携帯端末と画像形成装置とを含む画像形成システムであって、前記携帯端末は、ユーザーが閲覧している情報から、前記携帯端末が使用不可能な場合に閲覧するために、前記画像形成装置で紙出力可能な閲覧情報を、特定条件に対応して選択する情報選択手段と、前記情報選択手段により選択された前記閲覧情報を、前記画像形成装置へ送信する情報送信手段とを備え、前記画像形成装置は、前記携帯端末から受信した前記閲覧情報を蓄積する情報蓄積手段と、前記情報蓄積手段により蓄積された前記閲覧情報を印刷する画像形成手段とを備えることを特徴とする。
本開示の携帯端末は、ユーザーが閲覧している情報から、自装置が使用不可能な場合に閲覧するために、画像形成装置で紙出力可能な閲覧情報を、特定条件に対応して選択する情報選択手段と、前記情報選択手段により選択された前記閲覧情報を、画像形成装置へ送信する情報送信手段とを備えることを特徴とする。
本開示の画像形成方法は、携帯端末と画像形成装置とを含む画像形成システムにより実行される画像形成方法であって、前記携帯端末により、ユーザーが閲覧している情報から、前記携帯端末が使用不可能な場合に閲覧するために、前記画像形成装置で紙出力可能な閲覧情報を、特定条件に対応して選択し、前記携帯端末により、選択された前記閲覧情報を、前記画像形成装置へ送信し、前記画像形成装置により、前記携帯端末から受信した前記閲覧情報を蓄積し、前記画像形成装置により、蓄積された前記閲覧情報を印刷することを特徴とする。
【発明の効果】
【０００８】
本発明によれば、ユーザーが閲覧している情報から、携帯端末が使用不可能な場合に閲覧するための出力情報を、特定条件に対応して選択して、これを画像形成装置へ送信して蓄積し、蓄積された出力情報を印刷するように構成することで、特に携帯端末が使用不可能の際に閲覧したい出力情報を蓄積しておき、印刷することが可能な画像形成システムを提供することができる。
【図面の簡単な説明】
【０００９】
【図１】本開示の実施の形態に係る画像形成システムのシステム構成図である。
【図２】図１に示す画像形成システムの機能構成を示すブロック図である。
【図３】本開示の実施の形態に係る情報蓄積印刷処理の端末における処理のフローチャートである。
【図４】本開示の実施の形態に係る情報蓄積印刷処理の画像形成装置における処理のフローチャートである。
【図５】図３及び図４に示す情報蓄積印刷処理で出力されるスクリーンショットの概念図である。
【発明を実施するための形態】
【００１０】
＜実施の形態＞
〔画像形成システムＸのシステム構成〕
まず、図１を参照して、本開示の実施の形態に係る画像形成システムＸのシステム構成について説明する。
画像形成システムＸは、画像形成装置１と、携帯端末２と、サーバー３とがネットワーク５に接続されて構成される。
【００１１】
画像形成装置１は、ＭＦＰやプリンター等の画像形成装置である。
本実施形態では、画像形成装置１は、閲覧情報４００（図２）を印刷することが可能である。
携帯端末２は、スマートフォン、ＰＣ（Ｐｅｒｓｏｎａｌ  Ｃｏｍｐｕｔｅｒ）、ＰＤＡ（Ｐｅｒｓｏｎａｌ  ＤａｔａＡｓｓｉｓｔａｎｔ）、携帯電話等の携帯可能な端末である。
本実施形態において、携帯端末２は、閲覧情報４００を作成して、画像形成装置１へ閲覧情報４００を送信することが可能である。
サーバー３は、ファイルを蓄積可能な、いわゆる「クラウド」上のサーバー（サービス）、イントラネット上のサーバー、ＮＡＳ（Ｎｅｔｗｏｒｋ  Ａｔｔａｃｈｅｄ  Ｓｔｏｒａｇｅ）等である。
サーバー３は、画像形成システムＸの管理者等により提供されてもよい。
ネットワーク５は、有線ＬＡＮ（Ｅｔｈｅｒｎｅｔ）、無線ＬＡＮ（Ｗｉｆｉ）、インターネット、携帯電話網等、その他のＷＡＮ（Ｗｉｄｅ  Ａｒｅａ  Ｎｅｔｗｏｒｋ）等のＩＰネットワークである。
【００１２】
ここで、本開示の実施の形態に係る画像形成装置１の制御構成について説明する。
画像形成装置１は、画像処理部１１、原稿読取部１２、原稿給送部１３、給紙部１４、送受信部１５、操作パネル部１６、画像形成部１７、ＦＡＸ送受信部１８、及び記憶部１９等を含む。
各部は、制御部１０に接続され、制御部１０によって動作制御される。
【００１３】
制御部１０は、ＧＰＰ（Ｇｅｎｅｒａｌ  Ｐｕｒｐｏｓｅ  Ｐｒｏｃｅｓｓｏｒ）、ＣＰＵ（Ｃｅｎｔｒａｌ  ＰｒｏｃｅｓｓｉｎｇＵｎｉｔ、中央処理装置）、ＭＰＵ（Ｍｉｃｒｏ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｐｒｏｃｅｓｓｏｒ、特定用途向けプロセッサー）等の情報処理手段である。
制御部１０は、記憶部１９のＲＯＭやＨＤＤに記憶されている制御プログラムを読み出して、この制御プログラムをＲＡＭに展開させて実行することで、後述する機能ブロックの各手段として動作させられる。
この制御プログラムは、各種アプリケーションソフトウェア（アプリケーション、以下、単に「アプリ」という）を含む。
このアプリは、本実施形態の画像形成システムＸによる閲覧情報４００（図２）を蓄積して印刷させる、画像形成装置１用の専用のアプリ（以下、「専用アプリ」という。）を含む。
加えて、制御部１０は、携帯端末２や操作パネル部１６から入力された所定の指示情報に応じて、装置全体の制御を行う。
【００１４】
画像処理部１１は、ＤＳＰ（Ｄｉｇｉｔａｌ  Ｓｉｇｎａｌ  Ｐｒｏｃｅｓｓｏｒ）やＧＰＵ（Ｇｒａｐｈｉｃｓ  Ｐｒｏｃｅｓｓｉｎｇ  Ｕｎｉｔ）やＡＳＩＣ等の制御演算手段である。
画像処理部１１は、画像データに対して所定の画像処理を行う。
この画像処理は、例えば、拡大縮小、濃度調整、階調調整、画像改善等である。
画像処理部１１は、原稿読取部１２で読み取られた画像データを、記憶部１９に記憶する。
この際、画像処理部１１は、この画像データをＰＤＦ（Ｐｏｒｔａｂｌｅ  Ｄｏｃｕｍｅｎｔ  Ｆｏｒｍａｔ）等の電子文書データのようなファイルに変換することも可能である。
この画像データは、携帯端末２やサーバー３へ送信することも可能である。
【００１５】
原稿読取部１２は、セットされた原稿を読み取る（スキャン）手段である。
原稿読取部１２は、画像形成装置１の本体部の上部に配設される。
原稿読取部１２は、スキャナーと、プラテンガラスと、原稿読取スリットとを備えている。
プラテンガラスに載置された原稿を読み取る場合には、原稿読取部１２は、スキャナーをプラテンガラスに対向する位置に移動させる。
そして、原稿読取部１２は、プラテンガラスに載置された原稿を走査しながら読み取って画像データを取得する。
原稿読取部１２は、取得した画像データを制御部１０に出力する。
【００１６】
また、原稿給送部１３から給送された原稿を読み取る場合には、原稿読取部１２は、スキャナーを、原稿読取スリットと対向する位置に移動させる。
そして、原稿読取部１２は、原稿読取スリットを介し、原稿給送部１３による原稿の搬送動作と同期して原稿を読み取る。
これにより、画像データが取得される。
原稿読取部１２は、取得した画像データを、制御部１０に出力する。
【００１７】
原稿給送部１３は、原稿読取部１２で読み取られる原稿を搬送する手段である。
原稿給送部１３は、原稿読取部１２の上部に配設されている。
原稿給送部１３は、原稿載置部と、原稿搬送機構とを備えている。
原稿給送部１３は、原稿載置部に載置された原稿を、原稿搬送機構によって１枚ずつ順に繰り出して、原稿読取部１２に給送する。
【００１８】
給紙部１４は、記録紙を１枚ずつ画像形成部１７に向けて繰り出す機構である。
給紙部１４は、本体部に備えられている。
【００１９】
送受信部１５は、ネットワーク５へ接続するユニット等である。
送受信部１５は、例えば、ＬＡＮボードや無線送受信機等を含んでいてもよい。
送受信部１５により、携帯端末２及びサーバー３との間でデータを送受信することが可能である。
加えて、送受信部１５は、ＵＳＢ（Ｕｎｉｖｅｒｓａｌ  Ｓｅｒｉａｌ  Ｂｕｓ）等の回路を含んでもよい。
このＵＳＢにより携帯端末２と接続されてもよい。
さらに、送受信部１５は、データ通信用の回線でデータを送受信し、音声電話回線では音声信号を送受信するように構成してもよい。
【００２０】
操作パネル部１６は、ボタンやタッチパネル等の入力部と、ＬＣＤ（Ｌｉｑｕｉｄ  Ｃｒｙｓｔａｌ  Ｄｉｓｐｌａｙ）や有機ＥＬ（ｏｒｇａｎｉｃ  ｅｌｅｃｔｒｏ−ｌｕｍｉｎｅｓｃｅｎｃｅ、ｏｒｇａｎｉｃ  ｌｉｇｈｔ−ｅｍｉｔｔｉｎｇ  ｄｉｏｄｅ、ＯＬＥＤ）ディスプレイ等の表示部とを備えている。
また、操作パネル部１６は、画像形成装置１のフロント側に配設されている。
操作パネル部１６の表示部は、閲覧情報４００（図２）を表示することが可能である。
操作パネル部１６の入力部のボタンは、テンキー、スタート、キャンセル、動作モードの切り換え、ジョブの実行に係る指示を行うボタン等である。
この動作モードは、複写、ＦＡＸ送信、スキャナー、ネットワークスキャナー等のモードを含む。
また、ジョブは、選択された文書の印刷、送信、保存、及び記録等の種類のものを含んでいる。
操作パネル部１６の入力部は、ユーザーによる画像形成装置１の各種ジョブの指示を取得する。
また、操作パネル部１６の入力部は、鍵情報４１０（図２）を取得することが可能である。
その他にも、入力部は、ユーザーの指示により、各ユーザーの情報を入力、変更することも可能である。
【００２１】
画像形成部１７は、ユーザーの出力指示により、記憶部１９に記憶され、原稿読取部１２で読み取られ、又は携帯端末２から取得されたデータから記録紙への画像形成を行わせる手段である。
画像形成部１７は、感光体ドラム、露光部、現像部、転写部、及び定着部等を備えている。
画像形成部１７は、帯電、露光、現像、転写、定着からなる画像形成プロセスを実行することで記録紙にトナー像を記録する。
【００２２】
ＦＡＸ送受信部１８は、ファクシミリの送受信を行うユニットである。
ＦＡＸ送受信部１８は、音声回線により、他のＦＡＸ装置からファクシミリ受信して、記憶部１９に保存し、画像形成部１７で画像形成させることが可能である。
また、ＦＡＸ送受信部１８は、ネットワークＦＡＸのデータを画像データに変換して、他のＦＡＸ装置へ音声回線でファクシミリ送信することが可能である。
ネットワークＦＡＸのデータは、原稿読取部１２で読み取られた原稿や端末２等から送信されたデータである。
【００２３】
記憶部１９は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等の半導体メモリーやＨＤＤ（Ｈａｒｄ  Ｄｉｓｋ  Ｄｒｉｖｅ）等の一時的でない記録媒体を用いた記憶手段である。
記憶部１９のＲＯＭやＨＤＤには画像形成装置１の動作制御を行うための制御プログラムやデータ等が記憶されている。
【００２４】
次に、本開示の実施の形態に係る携帯端末２の構成について説明する。
携帯端末２は、送受信部２５、入力部２６、表示部２７、記憶部２９等が、制御部２０に接続されている。
携帯端末２の各部は、制御部２０によって動作制御される。
【００２５】
制御部２０は、制御演算能力を備えたＣＰＵ、ＭＰＵ、ＤＳＰ、ＧＰＵ、ＡＳＩＣ等から構成される。
制御部２０は、記憶部２９に記憶された各プログラムを、ハードウェア資源を用いて実行する。
具体的には、制御部２０は、制御プログラムを実行することで、各種機能を実現する。
【００２６】
送受信部２５は、画像形成装置１との間でデータを送受信する回路等である。
送受信部２５は、ＬＡＮボード、無線送受信機、ＵＳＢ（Ｕｎｉｖｅｒｓａｌ  Ｓｅｒｉａｌ  Ｂｕｓ）インターフェイス等を備えている。
【００２７】
入力部２６は、ユーザーによる操作を行うためのタッチパネルや物理ボタン等である。
表示部２７は、ＬＣＤや有機ＥＬディスプレイ等である。
入力部２６及び表示部２７は、各種アプリや専用アプリを実行して閲覧情報４００（図２）を作成する際に、各種指示を入力するために使用される。
【００２８】
記憶部２９は、ＲＡＭ、ＳＳＤ等のフラッシュメモリディスク、ＨＤＤ、磁気テープ装置、光ディスク装置等の一時的でない記録媒体を用いた記憶手段である。
記憶部２９は、携帯端末２をコンピュータとして機能させるためのＯＳ（Ｏｐｅｒａｔｉｎｇ  Ｓｙｓｔｅｍ）、画像形成装置１のデバイスドライバー（Ｄｅｖｉｃｅ  Ｄｒｉｖｅｒ、以下、単に「ドライバー」という。）、各種アプリ、及びその他のプログラムやデータ等も記憶している。
さらに、記憶部２９には、画像形成装置１に閲覧情報４００（図２）を送信するための、携帯端末２用の専用アプリもインストールされる。
この専用アプリは、画像形成システムＸの提供元のサーバー、アプリ用のサーバー、画像形成装置１等からダウンロードしてインストール可能である。
これらの各種プログラムが、携帯端末２の制御プログラムとして、制御部２０により実行される。
また、記憶部２９は、シリアルナンバー等の機器固有の情報、ユーザーがその部署やオフィスに所属するか等の属性（利用者層）情報、アカウント設定等を格納していてもよい。
これらのプログラムやデータは、制御部２０が読み出したり、書き込んだりすることも可能である。
【００２９】
なお、画像形成装置１において、制御部１０及び画像処理部１１は、ＧＰＵ内蔵ＣＰＵ等やチップ・オン・モジュールパッケージ、ＳＯＣ（Ｓｙｓｔｅｍ  Ｏｎ  ａ  Ｃｈｉｐ）等のように、一体的に形成されていてもよい。
また、制御部１０及び画像処理部１１は、記憶媒体を内蔵していてもよい。
また、携帯端末２において、制御部２０は、記憶媒体を内蔵していてもよい。
【００３０】
〔画像形成システムＸの機能構成〕
ここで、図２を参照し、本開示の実施の形態に係る画像形成装置Ｘの機能構成について説明する。
画像形成装置１の制御部１０は、情報蓄積手段１００を備えている。
記憶部１９は、閲覧情報４００、及び鍵情報４１０を格納する。
携帯端末２の制御部２０は、情報選択手段２００、鍵作成手段２１０、及び情報送信手段２２０を備えている。
記憶部２９は、閲覧情報４００、及び鍵情報４１０を一時的に格納する。
サーバー３は、閲覧情報４００、及び鍵情報４１０を格納する。
【００３１】
情報蓄積手段１００は、携帯端末２から受信した閲覧情報４００及び鍵情報４１０を、記憶部１９又はサーバー３へ蓄積する。
ここで、情報蓄積手段１００は、記憶部１９の記憶容量が特定値以上の場合、記憶部に閲覧情報４００を格納する。
情報蓄積手段１００は、記憶部１９の記憶容量が特定値よりも少ない場合、外部のサーバー３に閲覧情報４００を転送し、サーバー３に格納させる。
【００３２】
画像形成部１７は、本実施形態においては、情報蓄積手段１００により記憶部１９又はサーバー３に蓄積された閲覧情報４００を印刷する画像形成手段として機能する。
【００３３】
情報選択手段２００は、ユーザーが閲覧している情報から、特定条件に対応した閲覧情報４００を選択する。
情報選択手段２００は、選択された閲覧情報４００を記憶部２９に、一時的に格納する。
どのような閲覧情報４００を出力するかどうかは、ユーザーにより選択されたり、自動的に特定条件により選択されたりする。
ユーザーによる選択は、携帯端末２の専用アプリの設定画面から行うことが可能である。
【００３４】
鍵作成手段２１０は、ユーザー単位及び／又は携帯端末２単位で鍵情報４１０を作成する。
たとえば、鍵作成手段２１０は、バッテリー残量が特定量を下回った場合、鍵情報４１０を作成するか否かを、ユーザーに提示する。
加えて、鍵作成手段２１０は、ユーザーの指示により、鍵情報４１０を作成して、ユーザーに提示することも可能である。
【００３５】
情報送信手段２２０は、情報選択手段２００により選択された閲覧情報４００及び鍵情報４１０を、画像形成装置１へ送信する。
この送信は、ネットワーク５経由で行われる。
【００３６】
閲覧情報４００は、携帯端末２が使用不可能な場合に閲覧するために用いられる、画像形成装置１で紙出力可能な印刷用のデータである。
閲覧情報４００は、例えば、各種アプリ上で選択されたスクリーンショットの画像データ又は電子文書データである。
加えて、閲覧情報４００は、重要な情報、例えば各種アプリのうち特定のアプリでユーザーが検索を行った場合に、スクリーンショットされた画像データ又は電子文書データであってもよい。
より具体的には、閲覧情報４００は、ナビゲーションの情報、電子チケット、クーポン、アカウントコード、確認画面、及び、ユーザーの指示により選択された情報のいずれか又は任意の組み合わせであってもよい。
このうち、ナビゲーションの情報は、カーナビゲーション等の道案内の結果を示す画像データ又は電子文書データであってもよい。
この画像データのフォーマットは、ビットマップ、ＰＮＧ、ｊｐｇ等であってもよい。
さらに、電子文書データは、ＨＴＭＬ（Ｈｙｐｅｒ  Ｔｅｘｔ  Ｍａｒｋｕｐ  Ｌａｎｇｕａｇｅ）等の各種のウェブブラウズ画面のアーカイブ、ＰＤＦ等であってもよい。
また、閲覧情報４００は、電子文書データとして、ワードプロセッサやスプレッドシートのファイル、テキストファイル等の各種ファイルを含んでいてもよい。
さらに、閲覧情報４００は、取得された携帯端末２の名称、アプリの種類やバージョン、ＯＳ等の環境、取得時刻、取得された際の携帯端末２の位置情報等の情報を含んでいてもよい。
【００３７】
鍵情報４１０は、画像形成装置１に送られた閲覧情報４００にアクセスし、閲覧、印刷するための秘密鍵等の情報である。
この鍵情報４１０は、例えば、ＰＩＮコード、キーワード、認証文字列等のキーコード等であってもよい。
【００３８】
加えて、記憶部１９には、データベース等により、ユーザー単位及び／又は携帯端末２単位で記憶領域が設定される。
本実施形態では、この記憶領域毎に、鍵情報４１０が作成される。
【００３９】
ここで、画像形成装置１の制御部１０は、記憶部１９に格納された専用アプリを含む制御プログラムを実行することで、情報蓄積手段１００として機能させられる。
携帯端末２の制御部２０は、記憶部２９に格納された専用アプリを含む制御プログラムを実行することで、情報選択手段２００、鍵作成手段２１０、及び情報送信手段２２０として機能させられる。
また、上述の画像形成装置１及び携帯端末２の各部は、本開示の画像形成方法を実行するハードウェア資源となる。
なお、上述の機能構成の一部又は任意の組み合わせをＩＣやプログラマブルロジックやＦＰＧＡ（Ｆｉｅｌｄ−Ｐｒｏｇｒａｍｍａｂｌｅ  Ｇａｔｅ  Ａｒｒａｙ）等でハードウェア的に構成してもよい。
【００４０】
〔画像形成システムＸによる情報蓄積印刷処理〕
次に、図３〜図５を参照して、本開示の実施の形態に係る画像形成システムＸによる情報蓄積印刷処理の説明を行う。
【００４１】
〔携帯端末２による処理〕
まずは、情報蓄積印刷処理の携帯端末２による処理について説明する。
ここで、本実施形態においては、ユーザーが携帯端末２に専用アプリをインストールすると、情報選択手段２００は、例えば、デバイスドライバーやサービス（デーモン）のようにバックグラウンドで実行される。
この上で、本処理においては、ユーザーが各種アプリで閲覧している情報から、画像形成装置で紙出力可能な閲覧情報４００を、特定条件に対応して選択する。
携帯端末が使用不可能な場合に閲覧するためである。
そして、選択された閲覧情報４００を、画像形成装置へ送信し、蓄積させる。
本実施形態の情報蓄積印刷処理の携帯端末２による処理は、制御部２０が、記憶部２９に記憶された制御プログラムを、各部と協働し、ハードウェア資源を用いて実行する。
以下で、図３のフローチャートを参照して、この処理の詳細をステップ毎に説明する。
【００４２】
（ステップＳ１０１）
まず、情報選択手段２００が、ユーザーの指示により閲覧情報４００が選択されたか否かを判断する。
情報選択手段２００は、携帯端末２が使用不可能な場合に閲覧するために、画像形成装置１で紙出力可能な閲覧情報４００を、特定条件に対応して選択する。
この処理では、情報選択手段２００は、スクリーンショットと連動した画像データを閲覧情報４００として選択する場合、及び、ユーザーが明示的に指示して閲覧情報４００を選択する場合の両方ついて、特定条件として判断する。
【００４３】
具体的には、ユーザーが、一般的なウェブブラウザーや、その他のアプリ等で画面キャプチャー機能、すなわちスクリーンショットを指示することが可能である。
このスクリーンショットの指示は、ＯＳで標準的に設定された入力部２６のボタンやタッチ等の操作による指示でも、専用アプリにより画面上に描画されたボタンやウィジェットやガジェット等（以下、単に「専用ボタン等」という。）の押下による指示でもよい。
この場合、情報選択手段２００は、入力部２６からスクリーンショットの指示そのものを検出しても、スクリーンショットの画像データが記憶部２９に格納されたことを検出してもよい。
これらの検出があった場合、情報選択手段２００は、ユーザーの指示により閲覧情報４００が選択された、すなわちＹｅｓと判断する。
【００４４】
一方、情報選択手段２００は、専用アプリの画面や専用ボタン等から、実行中のアプリを選択して、スクリーンショットを指示することも可能である。
この場合、ユーザーは、各種ファイルを明示的に指示して、閲覧情報４００を選択することも可能である。
さらに、選択されたアプリのページ全体を電子文書データ等に変換して、これを閲覧情報４００としてユーザーが選択することも可能である。
これらの場合も、情報選択手段２００は、Ｙｅｓと判断する。
【００４５】
情報選択手段２００は、それ以外の場合には、Ｎｏと判定する。
【００４６】
Ｙｅｓの場合、情報選択手段２００は、処理をステップＳ１０３に進める。
Ｎｏの場合、情報選択手段２００は、処理をステップＳ１０２に進める。
【００４７】
（ステップＳ１０２）
ユーザーが閲覧情報４００を選択していない場合、情報選択手段２００が、その他の特定条件に対応しているか否かを判断する。
この処理では、情報選択手段２００は、ユーザーが携帯端末２を使用しているとき、各種アプリの種類や状況によって、その他の特定条件に対応しているか否かを自律的に判断する。
本実施形態では、情報選択手段２００は、各種アプリとして、ナビゲーション、電子チケット、クーポン、アカウントコード、確認画面等について、閲覧情報４００として蓄積すべき特定条件に対応すると判断する。
【００４８】
具体的には、情報選択手段２００は、例えば、ナビゲーションのアプリにおいて、自宅やオフィス等から特定の場所までの道順等が検索され保存された場合、その情報がユーザーにとっては重要であると推定されるため、特定条件に対応すると判断する。
この例としては、ユーザーが、Ｇｏｏｇｌｅ（登録商標）マップのアプリにおいて、ナビゲーション機能を用いて、現在地から目的地への道順等を検索し、その結果を保存した場合等が該当する。
このような場合、情報選択手段２００は、特定条件に対応するとして、Ｙｅｓと判断する。
すなわち、ナビゲーションのアプリは一般的にバッテリーの消費が激しいこと、及び、ユーザーの移動が行われることが予想されるので、閲覧情報４００として蓄積すべき特定条件に対応する。
【００４９】
また、情報選択手段２００は、電子チケット、クーポン、アカウントコード、確認画面等が表示部２７に表示されている場合に、特定条件に対応し、Ｙｅｓと判断する。
通常、ユーザーは、移動先で携帯端末２の表示部２７に画面を提示するので、これらの場合は、閲覧情報４００として蓄積すべき特定条件に対応する。
【００５０】
上述のような特定条件以外の場合には、情報選択手段２００は、Ｎｏと判断する。
【００５１】
Ｙｅｓの場合、情報選択手段２００は、処理をステップＳ１０３に進める。
Ｎｏの場合、情報選択手段２００は、処理をステップＳ１０５に進める。
【００５２】
（ステップＳ１０３）
ここで、情報選択手段２００が、選択閲覧情報取得処理を行う。
ユーザーにより選択された閲覧情報４００がある場合、情報選択手段２００は、これを記憶部２９に格納する。
一方、情報選択手段２００は、その他の特定条件に対応すると判断された場合には、保存されたナビゲーションの検索結果、携帯端末２の表示部２７に表示された各種アプリの画像データ等を、閲覧情報４００として選択し、記憶部２９に格納する。
【００５３】
（ステップＳ１０４）
次に、情報送信手段２２０が、閲覧情報送信処理を行う。
情報送信手段２２０は、情報選択手段２００により選択され、記憶部１９に格納された閲覧情報４００を、画像形成装置１へ送信する。
この送信は、閲覧情報４００が格納された直後に行われても、特定のタイミングで行われてもよい。
加えて、情報送信手段２２０は、この送信を、各種プロトコルで行うことが可能である。
この各種プロトコルは、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、
ＬＰＲプロトコル、ＩＰＲ（Ｉｎｔｅｒｎｅｔ  Ｐｒｉｎｔｉｎｇ  Ｐｒｏｔｏｃｏｌ）、ＦＴＰ（Ｆｉｌｅ  Ｔｒａｎｓｆｅｒ  Ｐｒｏｔｏｃｏｌ）、電子メール、メッセンジャー等である。
この各種プロトコルは、プルプリント用の専用プロトコル、画像形成装置１及び携帯端末２用の専用アプリ用の専用プロトコル等も含む。
さらに、情報送信手段２２０は、閲覧情報４００を暗号化した上で送信してもよい。
【００５４】
（ステップＳ１０５）
ここで、鍵作成手段２１０が、バッテリー残量が低下したか否かについて判断する。
鍵作成手段２１０は、バッテリー残量を取得し、これが特定量を下回った場合に、Ｙｅｓと判定する。
鍵作成手段２１０は、それ以外の場合、すなわちバッテリー残量が低下していない場合には、Ｎｏと判定する。
Ｙｅｓの場合、鍵作成手段２１０は、処理をステップＳ１０６に進める。
Ｎｏの場合、鍵作成手段２１０は、処理をステップＳ１０７に進める。
【００５５】
（ステップＳ１０６）
バッテリーの残量が低下した場合、鍵作成手段２１０が、鍵情報生成通知処理を行う。
鍵作成手段２１０は、鍵情報４１０の作成が必要かどうかを、ユーザーに通知する。
鍵作成手段２１０は、例えば、ポップアップでダイアログボックスを表示部２７に表示したり、メッセンジャーで通知を行ったりすることで、この通知を行う。
鍵作成手段２１０は、この通知により、鍵情報４１０の作成の指示を取得する。
【００５６】
（ステップＳ１０７）
ここで、鍵作成手段２１０が、ユーザーによる鍵情報４１０の作成の指示があったか否かについて判断する。
鍵作成手段２１０は、上述のダイアログボックス等にて、鍵情報４１０の作成が指示された場合に、Ｙｅｓと判断する。
加えて、鍵作成手段２１０は、専用アプリの画面や専用ボタン等から、鍵情報４１０の作成が指示された場合にも、Ｙｅｓと判断する。
すなわち、バッテリーの残量にかかわらず、鍵情報４１０の作成の指示を行うことも可能である。
鍵作成手段２１０は、それ以外の場合には、Ｎｏと判断する。
Ｙｅｓの場合、鍵作成手段２１０は、処理をステップＳ１０８に進める。
Ｎｏの場合、鍵作成手段２１０は、情報蓄積印刷処理の携帯端末２による処理を終了する。
【００５７】
（ステップＳ１０８）
鍵情報４１０の作成の指示があった場合、鍵作成手段２１０が鍵情報作成処理を行う。
鍵作成手段２１０は、乱数等により鍵情報４１０を作成して、表示部２７に表示してユーザーに提示したり、メッセンジャー等で提示したりする。
ここで、本実施形態においては、ユーザー毎及び／又は携帯端末２毎に、鍵情報４１０が作成され、又は更新される。
【００５８】
（ステップＳ１０９）
次に、情報送信手段２２０が、鍵情報送信処理を行う。
情報送信手段２２０は、作成された鍵情報４１０を、ネットワーク５を介して送信する。
この送信は、上述の閲覧情報４００の送信と同様の各種プロトコル等を用いて実行される。
この際、暗号化されて送信されてもよい。
この鍵情報４１０を受信した画像形成装置１は、ユーザー及び／又は携帯端末２に対応付けて、当該記憶領域に格納する。
この画像形成装置１による処理については、下記で説明する。
以上により、本開示の実施の形態に係る情報蓄積印刷処理の携帯端末２による処理を終了する。
【００５９】
〔画像形成装置１による処理〕
次に、本実施形態の情報蓄積印刷処理の画像形成装置１による処理について説明する。
この処理では、携帯端末２から受信した閲覧情報４００を蓄積する。
この蓄積は、内蔵された記憶部１９に格納する「ストレージモード」、外部のサーバー３に格納する「クラウドモード」が選択され、実行される。
加えて、鍵情報４１０を入力された場合、蓄積された閲覧情報４００を印刷する。
本実施形態の情報蓄積印刷処理は、画像形成装置１においては制御部１０が、記憶部１９に記憶された制御プログラムを、各部と協働し、ハードウェア資源を用いて実行する。
以下で、図４のフローチャートを参照して、この処理の詳細をステップ毎に説明する。
【００６０】
（ステップＳ１１１）
まず、情報蓄積手段１００が、接続受信処理を行う。
情報蓄積手段１００は、上述の各種プロトコルにて、携帯端末２と接続する。
これにより、接続が成功した場合、上述の閲覧情報４００又は鍵情報４１０が受信され、記憶部１９に一時的に格納される。
【００６１】
（ステップＳ１１２）
次に、情報蓄積手段１００が、接続が成功したか否かを判定する。
情報蓄積手段１００は、携帯端末２と接続できた場合に、Ｙｅｓと判定する。
情報蓄積手段１００は、携帯端末２と接続できなかった場合には、Ｎｏと判定する。
Ｙｅｓの場合、情報蓄積手段１００は、処理をステップＳ１１３に進める。
Ｎｏの場合、情報蓄積手段１００は、処理をステップＳ１１６に進める。
【００６２】
（ステップＳ１１３）
携帯端末２との接続が成功した場合、情報蓄積手段１００が、記憶容量が特定値以上あるか否かを判定する。
情報蓄積手段１００は、記憶部１９の記憶容量が特定値以上であった場合に、Ｙｅｓと判定する。
この特定値は、画像形成装置１における、記憶部１９のＨＤＤ等の記憶容量、ユーザー単位及び／又は携帯端末２単位に割り当てられた記憶領域の設定等により算出可能である。
情報蓄積手段１００は、記憶部１９の記憶容量等が特定値未満であった場合に、Ｎｏと判定する。
Ｙｅｓの場合、情報蓄積手段１００は、処理をステップＳ１１４に進める。
Ｎｏの場合、情報蓄積手段１００は、処理をステップＳ１１５に進める。
【００６３】
（ステップＳ１１４）
記憶容量が特定値以上であった場合、情報蓄積手段１００が、内蔵記憶部蓄積処理を行う。
情報蓄積手段１００は、「ストレージモード」として、閲覧情報４００及び鍵情報４１０を、内蔵の記憶部１９における、ユーザー及び／又は携帯端末２に対応づけられた記憶領域に格納する。
その後、情報蓄積手段１００は、処理をステップＳ１１６に進める。
【００６４】
（ステップＳ１１５）
記憶容量が特定値未満であった場合、情報蓄積手段１００が、サーバー蓄積処理を行う。
情報蓄積手段１００は、「クラウドモード」として、サーバー３へ閲覧情報４００及び鍵情報４１０を格納する。
この際に、情報蓄積手段１００は、必要であればサーバー３へログインして、ユーザー及び／又は携帯端末２に対応づけられた記憶領域を、サーバー３の記憶部に設定する。
このサーバー３へのログインのための情報は、画像形成システムＸの管理者、携帯端末２のユーザー等により画像形成装置１へ設定されてもよい。
【００６５】
ここで、記憶部１９に格納されるか、サーバー３に格納されるかに関わらず、数日〜数ヶ月程度の特定期間の経過後に、これらの閲覧情報４００及び鍵情報４１０は削除されてもよい。
これにより、セキュリティを向上させることが可能である。
【００６６】
（ステップＳ１１６）
ここで、情報蓄積手段１００が、ユーザーにより鍵情報４１０を入力されたか否かを判定する。
ユーザーは、携帯端末２がバッテリー容量低下で使用不可能になった等の場合、画像形成装置１にログインして、画像形成装置１用の専用アプリを実行し、操作パネル部１６から鍵情報４１０を入力することが可能である。
この鍵情報４１０が入力された場合、情報蓄積手段１００は、Ｙｅｓと判定する。
情報蓄積手段１００は、それ以外の場合には、Ｎｏと判定する。
Ｙｅｓの場合、情報蓄積手段１００は、処理をステップＳ１１７に進める。
Ｎｏの場合、情報蓄積手段１００は、情報蓄積印刷処理の画像形成装置１による処理を終了する。
【００６７】
（ステップＳ１１７）
鍵情報４１０が入力された場合、情報蓄積手段１００が、閲覧情報選択処理を行う。
情報蓄積手段１００は、記憶部１９及び／又はサーバー３から、ユーザー及び／又は携帯端末２に対応付けられた閲覧情報４００の一覧を取得する。
そして、情報蓄積手段１００は、操作パネル部１６の表示部上に、閲覧情報４００のプレビューイメージと、取得時刻、位置情報、携帯端末２の名称等を表示する。
これにより、ユーザーは、閲覧情報４００を閲覧し、印刷するものを選択可能となる。
図５の画面例５００は、ユーザーに示された、ナビゲーションの検索結果を示す閲覧情報４００の例である。
【００６８】
（ステップＳ１１８）
次に、情報蓄積手段１００及び画像形成部１７が、印刷処理を行う。
ユーザーが操作パネル部１６にて閲覧情報４００を選択して印刷を指示すると、情報蓄積手段１００は、この閲覧情報４００を画像形成部１７へ送信して、印刷させる。
これにより、携帯端末２がバッテリー切れ等で使用不能になった場合でも、ユーザーは、閲覧情報４００を手元に印刷物として見ることができる。
以上により、本開示の実施の形態に係る情報蓄積印刷処理の画像形成装置１による処理を終了する。
【００６９】
以上のように構成することで、以下のような効果を得ることができる。
近年、スマートフォン等の携帯端末が著しく普及し、様々なアプリが開発され生活を便利なものにしている。
携帯端末においては、内蔵のバッテリーが一般的に利用されている。
このバッテリーの容量が低下した場合、当然ながら携帯端末は、一切動作しなくなる。
そして、重要な情報が全てスマートフォンにあった場合、その情報が取り出せないので困ることがある。
しかしながら、典型的なバックアップの技術では、単純に電話帳やコンテンツをバックアップするだけであり、携帯端末が使用不可能の際に印刷して閲覧したい情報を保存しておくことはできなかった。
【００７０】
これに対して、本開示の実施の形態に係る画像形成システムＸは、携帯端末２と画像形成装置１とを含む。
携帯端末２は、情報選択手段２００と、情報送信手段２２０とを備える。
情報選択手段２００は、ユーザーが閲覧している情報から、携帯端末２が使用不可能な場合に閲覧するために、画像形成装置１で紙出力可能な閲覧情報４００を、特定条件に対応して選択する。
情報送信手段２２０は、情報選択手段２００により選択された閲覧情報４００を、画像形成装置１へ送信する。
画像形成装置１は、情報蓄積手段１００と、画像形成部１７とを備える。
情報蓄積手段１００は、携帯端末２から受信した閲覧情報４００を蓄積する。
画像形成部１７は、情報蓄積手段１００により蓄積された閲覧情報４００を印刷する。
【００７１】
このように構成することで、本実施形態の画像形成システムＸでは、バッテリー残量が少なくなった時、バッテリー切れでも必要な情報にアクセスできるように、閲覧情報４００を画像形成装置１に送信する。
これにより、ユーザーが紙媒体で閲覧情報４００を持ち運びたい場合、容易に印刷できる。
特に、携帯端末２が使用不可能の際に閲覧したい閲覧情報４００を蓄積して印刷することが可能となる。
【００７２】
また、本開示の実施の形態に係る画像形成システムＸは、ユーザー単位又は携帯端末２単位で鍵情報４１０を作成する鍵作成手段２１０を更に備える。
鍵情報４１０が取得された場合、画像形成部１７により閲覧情報４００が印刷される。
このように構成することで、鍵情報４１０がないと閲覧情報４００を印刷できなくなる。
よって、セキュリティを高めることができる。
【００７３】
また、本開示の実施の形態に係る画像形成装置１において、閲覧情報４００は、スクリーンショットの画像データ又は電子文書データである。
情報選択手段２００は、特定のアプリでユーザーが検索を行った場合に、スクリーンショットの画像データ又は電子文書データを閲覧情報４００として選択する。
このように構成することで、スクリーンショット時の画像データ又は電子文書データを閲覧情報４００として容易に選択できる。
【００７４】
また、本開示の実施の形態に係る画像形成装置１において、特定条件に対応する閲覧情報４００は、ナビゲーションの情報、電子チケット、クーポン、アカウントコード、確認画面、及び、ユーザーの指示により選択された情報のいずれか又は任意の組み合わせである。
このように構成することで、ナビゲーション等で検索した検索結果、外出先で提示が必要な電子チケット、クーポン、アカウントコード、確認画面等を含む閲覧情報４００を画像形成装置１に転送することが可能になる。
このため、バッテリーの残量が少ない状態で外出する必要が生じたような場合であっても、蓄積された閲覧情報４００から印刷することができる。
このため、必要な情報を再検索等して更にバッテリーを消費する作業を行わず、閲覧情報４００を印刷物として持ち運ぶことができる。
加えて、モバイルバッテリーを用意したり、別の携帯端末を用意したりといった手間もかからなくなる。
また、ユーザーが任意に閲覧情報４００を選択して、必要に応じて印刷することも可能となる。
【００７５】
また、本開示の実施の形態に係る画像形成装置１は、情報蓄積手段１００は、内蔵の記憶部１９の記憶容量が特定値以上の場合、記憶部１９に閲覧情報４００を格納し、記憶容量が特定値よりも少ない場合、外部のサーバー３に閲覧情報４００を転送して格納させる。
このように構成することで、内蔵の記憶部１９の記憶容量が少ない場合でも、サーバー３へ送信して、閲覧情報４００を格納できる。
また、実際に印刷する画像形成装置１経由でサーバー３へ閲覧情報４００を格納するため、画像形成装置１で閲覧情報４００を閲覧し、選択しやすくなる。
この際、サーバー３用のログイン等も画像形成装置１で行われるため、ユーザー自体が、いわゆるクラウドサービスのログイン等を行わなくてもよくなる。
【００７６】
〔他の実施の形態〕
なお、上述の実施の形態においては、特定条件が固定されている例について説明した。
しかしながら、専用アプリの画面等から、閲覧情報４００を選択するためのアプリ、ファイルの種類、タイミング等を設定可能であってもよい。
さらに、特定条件自体をニューラルネット等のＡＩ（Ａｒｔｉｆｉｃｉａｌ  Ｉｎｔｅｌｌｉｇｅｎｃｅ）で学習可能であってもよい。
この場合、ユーザーの個人情報、使用アプリ、移動経路、印刷するデータの種類等から、重要な情報を推定することが可能である。
このように構成することで、より適切な閲覧情報４００を選択可能となる。
【００７７】
加えて、上述の本開示の実施の形態においては、閲覧情報４００を画像形成装置１でプレビューする例について説明した。
しかしながら、閲覧情報４００を携帯端末２にも格納しておき、専用アプリ等から閲覧することも可能である。
さらに、送信した履歴を確認することも可能であってもよい。
このように構成することで、バッテリーの容量が回復した等の場合、画像形成装置１を操作しなくても、携帯端末２にて、容易に閲覧情報４００を確認可能となる。
なお、携帯端末２の専用アプリの画面から、履歴をみて閲覧情報４００を印刷したり、削除したり、指示したりすることも可能であってもよい。
【００７８】
さらに、上述の実施の形態では、画像形成装置１からサーバー３に閲覧情報４００を送信する例について記載した。
しかしながら、閲覧情報４００を携帯端末２から送信するように構成してもよい。
この場合でも、鍵情報４１０は画像形成装置１へ格納してもよい。
このように構成することで、画像形成装置１からサーバー３へ転送する手間を抑えることができる。
加えて、単にクラウドサービスにスクリーンショットをバックアップするのと比べて、画像形成装置１から、容易に閲覧情報４００を選択して閲覧できる。
【００７９】
上述の実施の形態では、鍵情報４１０は、ユーザー単位及び／又は携帯端末２単位で、記憶領域毎に設定されている例について記載した。
しかしながら、鍵作成手段２１０は、閲覧情報４００毎に鍵情報４１０を設定してもよい。
さらに、鍵情報４１０として、ユーザーがパスワード等を設定可能であってもよい。
逆に、ユーザーが画像形成装置１にログイン可能である場合、鍵情報４１０を設定しないように構成することも可能である。
つまり、ログインＩＤとパスワードを、鍵情報４１０として用いてもよい。
このように構成することで、柔軟に閲覧情報４００を管理可能となり、セキュリティを向上させられる。
【００８０】
また、本開示は、画像形成装置以外の情報処理装置にも適用できる。
つまり、例えば、ネットワークスキャナー、スキャナーをＵＳＢ等で別途接続したサーバー等を用いる構成であってもよい。
【００８１】
また、上記実施の形態の構成及び動作は例であって、本発明の趣旨を逸脱しない範囲で適宜変更して実行することができることは言うまでもない。
【符号の説明】
【００８２】
１  画像形成装置
２  携帯端末
３  サーバー
５  ネットワーク
１０、２０  制御部
１１  画像処理部
１２  原稿読取部
１３  原稿給送部
１４  給紙部
１５、２５  送受信部
１６  操作パネル部
１７  画像形成部
１８  ＦＡＸ送受信部
１９、２９  記憶部
２６  入力部
２７  表示部
１００  情報蓄積手段
２００  情報選択手段
２１０  鍵作成手段
２２０  情報送信手段
４００  閲覧情報
４１０  鍵情報
５００  画面例
【図１】
2020182213.tif 000003
【図２】
2020182213.tif 000004
【図３】
2020182213.tif 000005
【図４】
2020182213.tif 000006
【図５】
2020182213.tif 000007